(57)【要約】【課題】パーフォレーションに送り歯を確実に係合させて目切れの発生を防止する。【解決手段】写真フイルムパトローネ２６を装填すると、モータ３３が逆転し、その回転駆動により遊星ギア４９が巻戻し駆動位置Ｐ２に移動し、フイルム２９は巻戻されていく。フイルム２９に接触している１歯スプロケット５０は、フイルム２９との間の摩擦力によって巻戻し方向に回転する。回転した１歯スプロケット５０の送り歯５０ａは、パーフォレーション２９ａに係合する。送り歯５０ａが係合位置にあることが検出部３８によって検出されると、モータ３３の回転駆動が正転方向に切り替えられ、遊星ギア４９が巻上げ駆動位置Ｐ１に移動する。１歯スプロケット５０の送り歯５０ａは、パーフォレーション２９ａに係合しているので、フイルム２９はスムーズに初期送りされる。【選択図】        図４
2004302235.tif 000002
【特許請求の範囲】
【請求項１】
フイルムの巻き上げ、巻き戻しの駆動源となるモータと、写真フイルムパトローネのスプールに係合するスプール駆動軸と、前記モータの駆動により回転し、写真フイルムパトローネから送り出されたフイルムを巻き取るフイルム巻き取り軸と、フイルム先端部を前記スプールまで初期送りするスプロケットとを備えたフイルム給送装置において、
前記モータの回転駆動を前記スプロケットに伝達する巻き上げ駆動状態、及び前記モータの回転駆動を前記スプール駆動軸に伝達する巻戻し駆動状態のうちのいずれかの状態に切り替える駆動伝達切替手段と、前記スプロケットの送り歯が前記フイルムのパーフォレーションに係合する係合位置にあることを検出する検出部とを備えており、写真フイルムパトローネの装填時に、前記巻戻し駆動状態としてフイルムを巻戻し、この巻戻し中のフイルムが前記スプロケットに接触して移動することによりスプロケットが回転して、スプロケットが前記係合位置にあることが検出されたときに、前記駆動伝達切替手段が前記巻き戻し駆動状態から前記巻上げ駆動状態への切り替えを行うことを特徴とするフイルム給送装置。
【請求項２】
前記駆動伝達切替手段は、モータからの回転駆動が伝達される太陽歯車と、この太陽歯車と噛合し、モータ正転時の前記太陽歯車の回転により前記スプロケットに駆動を伝達する噛合位置に移動するとともに、モータ逆転時の前記太陽歯車の回転により前記スプール駆動軸に駆動を伝達する噛合位置に移動するように太陽歯車の周りを回動自在に取り付けられた遊星歯車とからなる遊星ギアクラッチであることを特徴とする請求項１記載のフイルム給送装置。
【発明の詳細な説明】
【０００１】
【発明の属する技術分野】
本発明は、フイルム給送装置に関するものであり、さらに詳しくは、パトローネから送り出された写真フイルムをスプロケットで巻き取り軸まで初期送りし、写真フイルムを巻き取るフイルム給送装置に関するものである。
【０００２】
【従来の技術】
カメラに収納されたパトローネ内のフイルムを巻き取り軸まで初期送りするものとして、１歯や２歯の送り歯が形成されたスプロケットが使用されていることが多い。すなわち、１歯又は２歯の送り歯をフイルムのパーフォレーションに係合した状態でスプロケットをフイルムの送り出し方向に合わせた方向に回転させることによりフイルム先端部を巻き取り軸まで初期送りする。初期送りされたフイルムが巻き取り軸まで到達すると、巻き取り軸が巻き上げ方向に回動されているので、フイルム先端部のパーフォレーションがスプールの爪に係止して、フイルムがスプールに巻き付けられる。
【０００３】
さらに、特許文献１に記載されているフイルム給送装置では、駆動源となるモータに回転力が伝達可能に連結された遊星ギアと、フイルム巻上げ時には遊星ギヤの回転力を初期送り用スプロケットに伝達する位置に遊星ギアを移動し、巻戻し時には遊星ギアの回転力を巻き戻しフォークに伝達する位置に遊星ギアを移動する移動手段とを備えている。これによって、巻上げ時には、巻き戻しフォークがフリーの状態になってスムーズに初期送りが行われ、巻戻し時には、スプロケットがフリーの状態になってスプロケットの送り歯によるフイルムの破損を防止することができる。
【０００４】
また、特許文献２に記載されているフイルム送り装置では、モータと、スプロケットとの間にワンウェイクラッチを介して連結しており、巻上げ時にはワンウェイクラッチが回転駆動をスプロケットに伝達し、巻き戻し時にはワンウェイクラッチの接続が解除されて回転駆動を伝達しないので、上記特許文献１と同様に巻戻し時に送り歯によるフイルムの破損が発生することを防ぐことができる。
【０００５】
【特許文献１】
特開平８−６１２９号公報
【特許文献２】
実公平５−２２９２４号公報
【０００６】
【発明が解決しようとする課題】
しかしながら、上述したようなフイルム給送装置では、スプロケットの送り歯を、写真フイルムのパーフォレーションに係合させることについては詳しく記載されていない。すなわち、低温時など写真フイルムの引き出しが重く、パトローネ本体からの送り出しがスムーズに行われないときには、初期送りを行うときに、スプロケットの送り歯がパーフォレーションに係合されていない状態でモータの駆動が開始され、送り歯によってパーフォレーションの間の部分が破損する状態、いわゆる目切れが発生することになる。
【０００７】
本発明は上記問題点を考慮してなされたものであり、フイルムのパーフォレーションに送り歯を確実に係合させて目切れの発生を防止し、フイルムの初期送りを効率良く行うことが可能なフイルム給送装置を提供することを目的とする。
【０００８】
【課題を解決するための手段】
上記目的を達成するために、本発明のフイルム給送装置では、フイルムの巻き上げ、巻き戻しの駆動源となるモータと、写真フイルムパトローネのスプールに係合するスプール駆動軸と、前記モータの駆動により回転し、写真フイルムパトローネから送り出されたフイルムを巻き取るフイルム巻き取り軸と、フイルム先端部を前記スプールまで初期送りするスプロケットとを備えたフイルム給送装置において、前記モータの回転駆動を前記スプロケットに伝達する巻き上げ駆動状態、及び前記モータの回転駆動を前記スプール駆動軸に伝達する巻戻し駆動状態のうちのいずれかの状態に切り替える駆動伝達切替手段と、前記スプロケットの送り歯が前記フイルムのパーフォレーションに係合する係合位置にあることを検出するセンサとを備えており、写真フイルムパトローネの装填時に、前記巻戻し駆動状態としてフイルムを巻戻し、この巻戻し中のフイルムが前記スプロケットに接触して移動することによりスプロケットが回転して、スプロケットが前記係合位置にあることが検出されたときに、前記駆動伝達切替手段が前記巻き戻し駆動状態から前記巻上げ駆動状態への切り替えを行っている。
【０００９】
なお、前記駆動伝達切替手段は、モータからの回転駆動が伝達される太陽歯車と、この太陽歯車と噛合し、モータ正転時の前記太陽歯車の回転により前記スプロケットに駆動を伝達する噛合位置に移動するとともに、モータ逆転時の前記太陽歯車の回転により前記スプール駆動軸に駆動を伝達する噛合位置に移動するように太陽歯車の周りを回動自在に取り付けられた遊星歯車とからなる遊星ギアクラッチであることが好ましい。
【００１０】
【発明の実施の形態】
以下、本発明の写真フイルム給送装置をカメラに実施した実施例について説明する。図１に示すように、カメラ１０は、各種撮影機構や電子部品等が組み付けられるカメラ本体（図示せず）と、このカメラ本体の前面及び背面を覆う前カバー１２及び後カバー１３とから構成される。
【００１１】
カメラ１０の前面中央には、撮影レンズ１４を保持するレンズ鏡筒１５が配置され、その右上部にはストロボ発光部１６が、中央上部にはファインダ対物窓１７等が設けられている。カメラ１０の背面側には、開閉自在に取り付けられた裏蓋１８が設けられている。また、カメラ１０の上部には、撮影動作を開始させるためのシャッタボタン２０が、カメラ１０の背部には、電源ボタン２３，ファインダ接眼窓２４などが設けられている。
【００１２】
本発明に係る写真フイルム給送装置２５は、レンズ鏡筒１５やシャッタ機構などとともにカメラ本体に組み付けられており、パトローネ装填室は、カメラ本体と一体に設けられたアパーチャを挟んだ一方側に配置され、他方側にはフイルム巻き取り室が配置されている。パトローネ室には、写真フイルムパトローネ２６が装填される。写真フイルムパトローネ２６は、図２に示すように、パトローネ本体２７と、その中に回転自在に収納されるスプール２８と、このスプール２８に巻きつけられた写真フイルム（以下、単にフイルムとする。）２９とからなる。
【００１３】
この写真フイルム給送装置２５は、詳しくは図２に示すように、スプール駆動軸３１、フイルム巻き取り軸３２、駆動源となるモータ３３、モータ３３の回転駆動を伝達するモータ駆動伝達部３４、スプール駆動軸３１に駆動を伝達するスプール駆動伝達部３５、１歯スプロケットギア３７、この１歯スプロケットギア３７の角度位置を検出する検出部３８、遊星ギアクラッチ３９とからなる。
【００１４】
スプール駆動軸３１は、パトローネ３１のスプール３１ａに係合するパトフォーク３１ａと、このパトフォーク３１ａの下端に位置し、同軸上に一体形成されたギア３１ｂとからなる。フイルム巻き取り軸３２は、その周囲にフイルム２９のパーフォレーション２９ａと係合する突起３２ａが、上端部の同軸上にはギア３２ｂが一体形成されている。フイルム巻き取り軸３１の内部にはモータ３３が内蔵されている。モータ３３の駆動軸３３ａの先端には、ピニオンギア４０が固着されている。
【００１５】
モータ駆動伝達部３４は、互いに噛合された駆動ギア４３〜４５からなる。一端に位置する駆動ギア４３には、モータ３３のピニオンギア４０が噛合している。最終段の駆動ギア４５の下端部には、フイルム巻き取り軸３２のギア３２ｂに噛合するギア４５ａが同軸上に一体形成されており、モータ３３の回転駆動をフイルム巻き取り軸３２に伝達する。
【００１６】
さらに、ギア４５ａには、遊星ギアクラッチ３９の太陽ギア４８が接続されている。遊星ギアクラッチ３９は、詳しくは図３に示すように、太陽ギア４８、この太陽ギア４８に噛合する遊星ギア４９、及び遊星ギア４９の軸４９ａを移動自在に支持するスライド溝５０からなる。スライド溝５０は、太陽ギア４８の軸４８ａを中心とする円弧に沿った形状でカメラ本体に形成されており、遊星ギア４９は、図示しないバネによってカメラ本体側に付勢されている。
【００１７】
太陽ギア４８にモータ３３の回転駆動が伝達されたとき、モータ３３が正転方向（矢印Ａ方向）に回転した場合、太陽ギア４８が矢印Ａ方向に回動して遊星ギア４９の軸４９ａが巻上げ駆動位置Ｐ１（図５に示す位置）に移動し、モータ３３が逆転方向（矢印Ｂ方向）に回転すると、太陽ギア４８が矢印Ｂ方向に回動して遊星ギア４９の軸４９ａが巻戻し駆動位置Ｐ２（図３に示す位置）に移動する。
【００１８】
遊星ギア４９の軸４９ａが巻上げ駆動位置Ｐ１にあるときには、遊星ギア４９は１歯スプロケットギア３７に噛合する。１歯スプロケットギア３７の下端部には、１歯スプロケット５０が一体形成され、１歯スプロケット５０には，送り歯５０ａがフイルム２９のパーフォレーションに係合可能な形状に形成されている。さらに、１歯スプロケット５０の送り歯５０ａを除く外周縁５０ｂは円弧状に形成されており、この外周縁５０ｂがフイルム２９に接触する位置に１歯スプロケット５０が配置されている。そして、遊星ギア４９の軸４９ａが巻上げ駆動位置Ｐ１にあるときには、１歯スプロケット５０は回転駆動を受けて巻上げ方向（矢印ａ方向）に回動する。
【００１９】
遊星ギア４９の軸４９ａが巻戻し駆動位置Ｐ２にあるときには、遊星ギア４９はスプール駆動伝達部３５を構成する連結ギア５２に噛合する。スプール駆動伝達部３５は、互いに噛合された連結ギア５２〜５５、伝達軸５６、連結ギア５７から構成される。伝達軸５６の上下端部にはギア５６ａ，５６ｂが一体に形成されており、ギア５６ａが連結ギア５５に、ギア５６ｂが連結ギア５７に噛合している。連結ギア５７は、スプール駆動軸３１のギア３１ｂに噛合している。
【００２０】
そして、遊星ギア４９の軸４９ａが巻戻し駆動位置Ｐ２にあるときには、遊星ギア４９からスプール駆動伝達部３５を介してスプール駆動軸３１に回転駆動が伝達され、写真フイルムパトローネ２６のスプール２８は回転駆動を受けて巻戻し方向（矢印ｂ方向）に回動する。
【００２１】
検出部３８は、回転板６０を一体に形成したギア６１と、光電センサ６２とからなる。光電センサ６２としては、例えばフォトインタラプタを使用する。回転板６０は、ギア６１の軸６１ａに固着されている円盤部６０ａと、この円盤部６０ａの外周から突出する突起部６０ｂとからなる。光電センサ６２は、馬蹄形状に形成され、突起部６０ｂの回転軌跡上に位置しており、突起部６０ｂが光電センサ６２内に位置しているとき、制御部（図示せず）へ出力信号を送る。
【００２２】
検出部３８のギア６１は、１歯スプロケットギア３７と噛合しており、さらにギア６１と１歯スプロケットギア３７とは、同じ歯数に設定されている。これにより回転板６０は、１歯スプロケット５０と同期して回転する。そして、回転板６０の突起部６０ｂが光電センサ６２の内部に位置するときには、１歯スプロケット５０の送り歯５０ａがフイルム２９側へ向かう位置、すなわち送り歯５０ａがフイルム２９のパーフォレーション２９ａに係合すべき係合位置にあるときに合わせて形成されている。これによって、送り歯５０ａがパーフォレーション２９ａへの係合位置にあるときを光電センサ６２により検出することができる。
【００２３】
以下、上記構成による作用について説明する。使用者がカメラ１０の裏蓋１８を開けてフイルム２９の一部を引き出し、写真フイルムパトローネ２６を所定の位置に装填する。このとき、写真フイルムパトローネ２６がカメラ１０のパトローネ室に正しく装填されていれば、スプール２８の端部がスプール駆動軸３１のパトフォーク３１ａに係合する。写真フイルムパトローネ２６を装填して、裏蓋１８を閉じると、カメラ１０の制御部は、モータ３３を逆転方向（矢印Ｂ方向）に回転し始める。モータ３３が逆転方向に回転すると、その回転駆動が遊星ギアクラッチ３９に伝達され、遊星ギア４９が巻戻し駆動位置Ｐ２に移動する（図３に示す状態）。このため、スプール駆動軸３１が巻戻し方向（矢印ｂ方向）に回転し、フイルム２９はパトローネ本体２７の内部へと巻戻されていく。このフイルム２９の巻戻しが行われているとき、フイルム２９に接触している１歯スプロケット５０は、フイルム２９との間の摩擦力によって巻戻し方向（矢印ｂ方向）に回転する。そして、フイルム２９の巻戻しにより回転した１歯スプロケット５０の送り歯５０ａは、パーフォレーション２９ａに係合する（図４に示す状態）。そして、送り歯５０ａが係合位置にあることが検出部３８によって検出されると、モータ３３の回転駆動が正転方向（矢印Ａ方向）に切り替えられる。
【００２４】
モータ３３が正転方向に回転すると、遊星ギア４９が巻上げ駆動位置Ｐ１に移動する。このため、１歯スプロケットギア３７が巻上げ方向（矢印ａ方向）に回転する。１歯スプロケット５０の送り歯５０ａは、パーフォレーション２９ａに係合しているので、フイルム２９はスムーズに初期送りされて、先端部がフイルム巻き取り軸３２へと到達し、フイルム巻き取り軸３２の外周にフイルム２９が巻き取られていく。このように、１歯スプロケット５０の送り歯５０ａを確実にパーフォレーション２９ａに係合させてから、初期送りを行なっているので、フイルム巻き取り軸３２に効率良く巻き付けることができる。そして、確実に送り歯５０ａをパーフォレーション２９ａに係合させているので、目切れなどのフイルムの破損を防ぐことができる。
【００２５】
なお、上記実施形態では、フイルム２９の初期送りに１歯スプロケット５０を使用しているが、これに限るものではなく、図６に示すように２歯スプロケット７０など、複数の送り歯を持つスプロケットギアを使用してもよい。なお、図６においては、上記実施形態と同様の部品、及び部材については、同符号を付して説明を省略する。この場合、上記実施形態と同様に、  先ずスプール駆動軸３１を巻戻し駆動してフイルム２９を巻戻し、フイルム２９に接触する２歯スプロケット７０を回転させる。そして図６に示すように、２歯スプロケット７０の２つの送り歯７０ａ，７０ｂがともにパーフォレーション２９ａに係合するときに、光電センサ６２が係合位置にあることを検出するように設定し、この係合位置を検出したときに、モータ３３の回転駆動を正転方向へと切り替えて巻上げ駆動を行えばよい。
【００２６】
なお、上記実施形態においては、遊星ギアクラッチ３９を使用して、モータ３３の回転駆動をスプロケット５０に伝達する巻き上げ駆動状態、及びモータ３３の回転駆動をスプール駆動軸３１に伝達する巻戻し駆動状態のうちのいずれかの状態に切り替えているが、これに限るものではなく、例えば特許文献２に記載されているようなワンウェイクラッチを２つ使用し、一方のワンウェイクラッチをモータとスプロケットとの間を連結するように配置し、他方のワンウェイクラッチをモータとスプール駆動軸との間を連結するように配置する。そして、モータが逆転したときには、一方のワンウェイクラッチが接続状態となってスプール駆動軸を巻戻し方向へ回転し、モータが正転したときには、他方のワンウェイクラッチが接続状態となってスプロケットを巻上げ方向へ回転させるようにすればよい。
【００２７】
【発明の効果】
以上説明したように、本発明のフイルム給送装置によれば、写真フイルムパトローネの装填時に、巻戻し駆動状態としてフイルムを巻戻し、この巻戻し中のフイルムがスプロケットに接触して移動することによりスプロケットが回転して、スプロケットが係合位置にあることが検出されたときに、巻き戻し駆動状態から巻上げ駆動状態への切り替えを行っているので、フイルムの破損を防いでスムーズに初期送りし、巻き取り軸へのフイルムの巻き付けを効率良く行うことができる。
【図面の簡単な説明】
【図１】本発明を実施したカメラの正面斜視図である。
【図２】写真フイルム給送装置の構成を示す斜視図である。
【図３】写真フイルムパトローネ装填直後の写真フイルム給送装置の状態を示す平面図である。
【図４】図３に示す状態の後、送り歯がパーフォレーションに係合したときの写真フイルム給送装置の状態を示す平面図である。
【図５】図４に示す状態の後、初期送りを行っているときの写真フイルム給送装置の状態を示す平面図である。
【図６】本発明の第２の実施形態を示す平面図である。
【符号の説明】
１０  カメラ
２５  写真フイルム給送装置
２６  写真フイルムパトローネ
２７  パトローネ本体
２８  スプール
２９  写真フイルム
２９ａ  パーフォレーション
３１  スプール駆動軸
３２  フイルム巻き取り軸
３３  モータ
３７  １歯スプロケットギア
３８  検出部
３９  遊星ギアクラッチ
【図１】
2004302235.tif 000003
【図２】
2004302235.tif 000004
【図３】
2004302235.tif 000005
【図４】
2004302235.tif 000006
【図５】
2004302235.tif 000007
【図６】
2004302235.tif 000008